(57)【特許請求の範囲】
【請求項１】
後端が回動軸で互いに回動自在に枢支された一対の本体ケースと、上記本体ケース先端側の対向内面に前記本体ケースの内側に所定の距離だけ沈み込み可能に保持されたヒータ内蔵の温熱板と、上記本体ケースと温熱板との間に介装されて該温熱板をその傾斜角度を調整可能に支持する角度調整手段とを有しており、衣類や毛髪等の被処理物を前記本体ケースの対向内面相互間に挟持させて加熱押圧処理を行うアイロンにおいて、
前記温熱板は、長手方向の端縁部に沿って裏面側に形成された一対の係合片が前記本体ケースの側壁面の保持溝に上下方向に移動可能に保持され、
前記角度調整手段は、前記温熱板の回動軸側の端部を支持するように設けられる弾性部材であり、
前記温熱板又は本体ケースのいずれか一方には、該温熱板の沈み込み動作を制動する緩衝部材が取付けられることを特徴とするアイロン。
【請求項２】
請求項１に記載のアイロンにおいて、
前記弾性部材は、前記温熱板の幅方向の両端部に設けられる一対のコイルバネであることを特徴とするアイロン。
【請求項３】
請求項１又は２に記載のアイロンにおいて、
前記緩衝部材は、前記温熱板の端縁部に取付けられ且つ前記本体ケースに摺接される弾性樹脂材製の隙間部材であることを特徴とするアイロン。
【請求項４】
請求項１ないし３のいずれかに記載のアイロンにおいて、
前記温熱板は、被処理物を挟持するとき該被処理物の形状に合わせて弾性変形可能であり且つ使用後に上記の変形が自動的に元の形状に復帰される形状記憶材から形成されることを特徴とするアイロン。
【請求項５】
請求項１ないし４のいずれかに記載のアイロンにおいて、
前記温熱板は、本体ケースを握持するときに前記温熱板による挟持力に応じて挟持された被処理物への温熱量を調節可能に長手方向に沿って温度勾配を形成するように設定されることを特徴とするアイロン。
【請求項６】
請求項１ないし５のいずれかに記載のアイロンにおいて、
被処理物を挟持した状態において前記本体ケース相互を回動阻止状態に保持する保持手段を有することを特徴とするアイロン。
【請求項７】
請求項１ないし６のいずれかに記載のアイロンにおいて、
前記温熱板の表面には耐熱性の起毛が形成されていることを特徴とするアイロン。
【請求項８】
請求項１ないし７のいずれかに記載のアイロンにおいて、
前記対向内面相互間に発生する静電気を蓄電・放電可能なコンデンサ回路を有することを特徴とするアイロン。
【発明の詳細な説明】
【０００１】
【発明の属する技術分野】
本発明は、  回動自在に枢支された一対の本体ケースと該本体ケースの対向内面に設けられた沈み込み可能な温熱板とを有し、被処理物を前記対向内面相互間に挟持させて加熱押圧処理を行うアイロンにおいて、前記温熱板の角度調整手段に関する技術である。
【０００２】
【従来の技術】
従来から、回動自在に枢支される一対の細長い本体ケースと、この本体ケースの先端側の対向内面に設けられたヒータ内蔵の温熱板とを有し、前記本体ケース相互を回動させて前記対向内面相互間に被処理物を挟持させて加熱押圧処理を行うアイロンが用いられている。このようなアイロンの代表的なものとして、前記温熱板相互間に毛髪を挟持させてストレートにしたり、ウェーブやカール等の癖付けをするために用いられるヘアアイロンがある。
【０００３】
このようなヘアアイロンは、前記本体ケースの一端側が枢支された構成であるので、握持して前記本体ケースの対向内面相互が近接するように回動させると、前記温熱板相互間の間隔は先端側に向かって拡大するハ字状となるため、しっかりと毛髪を挟持することができないという問題があった。そのため、毛髪を挟持するときに前記対向内面が略平行となるように傾斜させる角度調整手段を備えたヘアアイロンが提案されている。
【０００４】
図７に、特開２０００−３３３７１９に開示されるヘアアイロンを示している。このものは、一対の本体ケース１の対向内面にヒータ５内蔵の温熱板２ａ，２ｂがそれぞれ設けられた構成となっており、一方の温熱板２ｂが本体ケース１の内側に沈み込み可能であり且つ傾斜角度を調節可能であるように角度調整手段である弾性体４によって支持されている。
【０００５】
上記構成であるから、前記本体ケース１を握持して前記温熱板２相互間に髪を挟持させると、前記温熱板２ｂの回動軸側が前記本体ケース１の内側に沈み込むと共に前記沈み込みの反動によって前記弾性体４を支点として該温熱板２ｂの先端側が浮き上がる。これにより、前記温熱板２ａ，２ｂは略平行となるため、毛髪をしっかりと挟持することができる。このように、毛髪を挟持することで前記温熱板２ｂの傾斜角度が自動調整されて前記温熱板２ａ，２ｂが略平行となるから、毛髪を挟持する位置による挟持力の強弱が生じにくく、毛髪に温熱及び押圧が均一に作用するため、ムラなく毛髪の癖付けを行うことができる。
【０００６】
【発明が解決しようとする課題】
しかしながら、上記ヘアアイロンにおいては、前記弾性体４を支点とするシーソー運動によって前記温熱板２ｂの傾斜角度を調整する構成であるため、前記本体ケース１の先端側に毛髪が挟持される場合などには温熱板２ｂが先端側へ傾斜されて該温熱板２ａ，２ｂ相互間がより大きなハ字状に開いてしまうことがある。また、毛髪を挟持した状態でヘアアイロンをスライドや回転させたり、前記本体ケース１の先端側を手で押えてより強く挟持する場合のように前記温熱板２ｂへ作用する押圧が変化するときに、前記温熱板２ｂが不必要に傾斜又は揺動されて思うように毛髪の癖付けを行うことができないこともある。
【０００７】
また、ここでは図示しないが、特開２００１−１３７０３８に開示されるヘアアイロンは、前記温熱板と本体ケースとの間に角度調整手段である板バネが該温熱板の略全域にわたって介装された構成となっている。そのため、前述の例のような前記温熱板２のシーソー運動は起こらないが、毛髪が前記温熱板の片側に偏って挟持される場合のように前記板バネ全体に押圧が作用しない場合は、前記温熱板の傾斜角度の調整がうまくいかず、思うように毛髪の癖付けを行うことができないことがある。
【０００８】
本発明は、上記事情を鑑みてなされたものであり、前記温熱板の傾斜角度の調整が安定的且つ円滑に行われるようにすることで被処理物の加熱押圧処理が容易な使用感の良いアイロンを提供することを課題とする。
【０００９】
【課題を解決するための手段】
＊１項
上記課題を解決するための本発明の技術的手段は、『後端が回動軸で互いに回動自在に枢支された一対の本体ケースと、上記本体ケース先端側の対向内面に前記本体ケースの内側に所定の距離だけ沈み込み可能に保持されたヒータ内蔵の温熱板と、上記本体ケースと温熱板との間に介装されて該温熱板をその傾斜角度を調整可能に支持する角度調整手段とを有しており、衣類や毛髪等の被処理物を前記本体ケースの対向内面相互間に挟持させて加熱押圧処理を行うアイロンにおいて、
前記温熱板は、長手方向の端縁部に沿って裏面側に形成された一対の係合片が前記本体ケースの側壁面の保持溝に上下方向に移動可能に保持され、
前記角度調整手段は、前記温熱板の回動軸側の端部を支持するように設けられる弾性部材であり、
前記温熱板又は本体ケースのいずれか一方には、該温熱板の沈み込み動作を制動する緩衝部材が取付けられる』ことを特徴とするものである。
【００１０】
このものによれば、使用時に被処理物を挟持するとき、前記被処理物による押圧は常に角度調節手段よりも先端側に作用するので前記押圧の反動で前記温熱板の先端側が浮き上がることがなく、該温熱板全体が前記本体ケースの内側に沈み込むため、該温熱板は安定して適切な傾斜角度に調整される。また、前記角度調節手段の配設位置が直接押圧される場合よりも前記温熱板の沈み込み動作が緩衝される。
【００１１】
さらに、前記緩衝部材によって前記温熱板の付勢が減じられてゆっくり且つ円滑に沈み込むため、本体ケースを握持する手への応答が柔軟であり且つ前記沈み込みのときに該温熱板と前記本体ケースとの接触音の発生も防止される。
【００１２】
ここで、前記温熱板は、一方の本体ケースの対向内面のみに設けられるものであっても、前記一対の本体ケースの両方の対向内面にそれぞれ設けられるものであってもよい。
【００１３】
＊２項
１項において、『前記弾性部材は、前記温熱板の幅方向の両端部に設けられる一対のコイルバネである』ことを特徴とするものでは、前記温熱板の幅方向へのシーソー運動又は揺動が防止されるため、該温熱板の傾斜角度が安定すると共に、該温熱板の沈み込み動作及び前記沈み込み状態からの復帰動作も安定する。
【００１４】
＊３項
１項又は２項において、『前記緩衝部材は、前記温熱板の端縁部に取付けられ且つ前記本体ケースに摺接される弾性樹脂材製の隙間部材である』ことを特徴とするものでは、前記温熱板が本体ケース内に沈み込むとき及び前記沈み込み状態から復帰するときに、前記隙間部材と前記本体ケースとの間の摺動抵抗によって前記温熱板の付勢が減じられて該温熱板がゆっくり且つ円滑に動作するため、前記本体ケースを握持する手への柔軟性が向上されるためよりいっそう使用感がよい。また、前記温熱板が自然状態に復帰するときの接触音の発生も防止できる。
【００１５】
ここで、前記隙間部材は、前記本体ケースとの摺接によって前記温熱板の動作を妨げることがないように設定されている。
また、前記緩衝部材としてパッキン部材を用いたものでは、前記本体ケース内への水分の浸入が防止されるため、漏電や感電などの事故が防止される。
【００１６】
＊４項
１項ないし３項のいずれかにおいて、『前記温熱板は、被処理物を挟持するとき該被処理物の形状に合わせて弾性変形可能であり且つ使用後に上記の変形が自動的に元の形状に復帰される形状記憶材から形成される』ことを特徴とするものでは、被処理物を挟持するとき、前記温熱板は被処理物の形状に合わせて弾性変形することができるため、部分によって肉厚や表面形状が多少変化している物品や、位置によって挟持する毛髪の量に多少がある場合にも被処理物をしっかりと挟持して加熱押圧処理を行うことができる。また、使用後、変形された該温熱板は自動的に元の形状に復帰される。
【００１７】
＊５項
１項ないし４項のいずれかにおいて、『前記温熱板は、本体ケースを握持するときに前記温熱板による挟持力に応じて挟持された被処理物への温熱量を調節可能に長手方向に沿って温度勾配を形成するように設定される』ことを特徴とするものである。例えば、本体ケースの握持するときに前記対向内面による挟持力が大きい回動軸側を低温とし、前記挟持力の小さい先端側を高温となるような温度勾配を形成させた場合には、挟持位置によって仕上がりに差異が生じないため、過剰な加熱押圧によって被処理物を傷めてしまうことや、処理不足部分を再び処理する必要がなく、被処理物を手早く均一に加熱押圧処理することができる。
【００１８】
＊６項
１項ないし５項のいずれかにおいて、『被処理物を挟持した状態において前記本体ケース相互を回動阻止状態に保持する保持手段を有する』ことを特徴とするものでは、被処理物を加熱押圧処理するときに使用者自身が握持によって挟持状態を維持する必要がないため加熱押圧処理が楽である。また、前記被処理物は保持手段によって一定の挟持力で挟持され、使用者自身によって挟持状態を維持する場合のように挟持力の強弱が生じないため仕上がり状態が安定する。
【００１９】
前記保持手段としては、本体ケースの先端側に形成されて該本体ケース相互を係脱自在に係止する係止部材や、本体ケースの回動軸に対する回動を阻止する回動阻止部材や、各本体ケースに対向配置されて通電によって磁性を有し相互に引き合う電磁石などが考えられる。
【００２０】
＊７項
１項ないし６項のいずれかにおいて『前記温熱板の表面には耐熱性の起毛が形成されている』ことを特徴とするものでは、前記起毛によって被処理物がしっかりと保持されるため、該被処理物の加熱押圧処理が容易である。また、平面状の温熱板を用いる場合と比べて被処理物が傷みにくい。
【００２１】
＊８項
１項ないし７項のいずれかにおいて、『前記対向内面相互間に発生する静電気を蓄電・放電可能なコンデンサ回路を有する』ことを特徴とするものでは、前記対向内面と被処理物との間に生じる静電気を除去できる。また、このアイロンを使用することで帯電状態の被処理物の電荷が中和されるため、毛髪に用いた場合には、電荷相互の反発によって毛髪が広がったりすることなく仕上がりにまとまり感がある。
【００２２】
【発明の効果】
上記のような構成であるから本発明は次の特有の効果を有する。
本発明のアイロンを使用するときに、本体ケースの対向内面相互間に被処理物を挟持させると、被処理物の厚みや挟持位置などに関係なく前記温熱板の傾斜角度が安定的に自動調整されて被処理物をしっかりと挟持することができるため、使用経験の浅い使用者も容易にムラなく前記被処理物を加熱押圧処理することができる。
【００２３】
また、本体ケースを握持する手への応答が柔軟であるため使用感がよく、前記被処理物を挟持する挟持力の加減も容易である。さらに、緩衝部材によって前記温熱板と本体ケースとの接触音の発生が防止されるため耳障りな音が生じることがない。
【００２４】
以上のように、本発明のアイロンは、被処理物を挟持させると前記温熱板の傾斜角度が安定的且つ円滑に自動調整されるため、前記被処理物の加熱押圧処理を容易且つ仕上がりよく行うことができると共に使用感もよい。
【００２５】
また、２項のものによれば、温熱板の幅方向の両端部に一対のコイルバネを配置させたことで、該温熱板の傾斜角度が安定すると共に、該温熱板の沈み込み動作及び前記沈み込み状態からの復帰動作も安定する。
【００２６】
また、３項のものによれば、温熱板の端縁部に本体ケースに摺接する弾性樹脂製の隙間部材を取付けたことで、前記本体ケースを握持する手への柔軟性が向上されるためよりいっそう使用感がよいと共に、該温熱板が復帰するときの接触音の発生も防止できる。
【００２７】
また、４項のものによれば、温熱板を形状記憶材から形成させたことで、肉厚や表面形状が一定でない物品を挟持する場合や、挟持する毛髪の量に多少がある場合にも被処理物をしっかりと挟持して加熱押圧処理を行うことができる。
【００２８】
また、５項のものによれば、温熱板に温度勾配を形成させたことで、過剰な加熱押圧によって被処理物を傷めてしまうことや、処理不足部分を再び処理する必要がなく、被処理物を手早く均一に加熱押圧処理することができる。
【００２９】
また、６項のものによれば、本体ケース相互を回動阻止状態に保持する保持手段を設けたことで、被使用者自身による握持によって非処理物の挟持状態を維持する必要がないため前記被処理物の加熱押圧処理が楽である。また、使用者自身によって挟持する場合のように挟持力の強弱が生じないため仕上がり状態が安定する。
【００３０】
また、７項のものによれば、温熱板に耐熱性の起毛を形成したことで、起毛によって被処理物がしっかりと保持されるため、被処理物の加熱押圧処理が容易である。また、平面状の温熱板を用いる場合と比べて被処理物が傷みにくい。
【００３１】
また、８項のものによれば、静電気を蓄電・放電可能なコンデンサ回路を設けたことで、対向内面と被処理物との間に生じる静電気を除去できる。また、帯電状態の被処理物の電荷を中和することができる。
【００３２】
【発明の実施の形態】
以下に、本発明の実施の形態について添付図面を参照しながら詳述する。
本発明実施の形態の一例であるヘアアイロンを図１に示している。
この例のヘアアイロンは、一方の端部が枢支された同形状の一対の本体ケース１と、前記本体ケース１の先端側の対向内面１０に取付けられ毛髪を挟持して加熱押圧処理するヒータ５（図２参照）内蔵の温熱板２とを有しており、前記温熱板２は本体ケース１の内側に沈み込み可能であり且つその傾斜角度を調節可能であるように角度調整手段である一対のコイルバネ４（図２参照）によって支持されている。
【００３３】
前記本体ケース１は、図１に示されるように、前記温熱板２が設けられた毛髪挟持部１１と使用者が握持する握持部１２とからなり、回動軸１３に対して所定の範囲内で回動自在であると共に、自然状態において本体ケース１の形成角度が最大角となるように付勢手段によって相互に離反する方向に付勢された状態で回動軸１３に枢支されている。また、前記握持部１２は握り易いように波形に成形されており、その対向内面１０には前記本体ケース１相互をズレなく回動できるようにガイド突起１７がそれぞれ形成されている。
【００３４】
前記毛髪挟持部１１は、図２及び図３に示されるように、先端に向かって底部が緩やかに上向きに湾曲されて先端側が薄肉となっており、前記底部にはヒータ５から発生した熱を空気断熱するための中空の断熱層１６が形成されている。また、対向内面１０には、前記温熱板２よりも一回り小さい矩形状の開放部が形成されており、前記毛髪挟持部１１の長手方向の側壁面には後述する温熱板２の端縁部に取付けられたパッキン部材３と摺接する受け溝１４と、前記温熱板２の下方に延設された係合片２２を上下方向に移動可能に保持する保持溝１５とがそれぞれ形成されている。
【００３５】
前記温熱板２は、熱伝導率の高い金属から形成されており、その表面は毛髪に直に接触してこれを加熱押圧する平滑な施術板２０となっている。前記温熱板２の端縁部には、前記施術板２０の裏面側から長手方向に沿って脚片２４が垂下されており、前記脚片２４の下端部には、図３に示されるように、ヒータ５を前記温熱板２に接触した状態で保持するための一対のヒータ保持部２１と、前記毛髪挟持部１１の側壁に形成された保持溝１５に上下に移動可能に係合するための一対のＬ字状の係合片２２がそれぞれ形成されている。また、前記脚片２４は、前記温熱板２の端縁部に取付けられるパッキン部材３の厚み相当分だけ該温熱板２の端縁よりも内側位置から垂下されている。
【００３６】
前記パッキン部材３は、シリコン樹脂材からなり、図２及び図３に示されるように、前記温熱板２の施術板２０の全周にわたって取付けられ、前記毛髪挟持部１１の受け溝１４の側壁に対して上下方向に摺動自在であり且つ水密に摺接されている。
【００３７】
前記パッキン部材３は、使用時に前記温熱板２相互間に毛髪を挟持させるとき、前記受け溝１４の側壁との間の摺動抵抗によって前記温熱板２の沈み込み動作及び前記沈み込み状態からの復帰動作を制動し得るように設定されている。また、前記パッキン部材３は、前記温熱板２が上下動するときにも常に前記受け溝１４の側壁に摺接するように設定されている。
【００３８】
前記一対のコイルバネ４は、図２及び図３に示されるように、前記温熱板２の回動軸１３側の端縁部を支持するように前記温熱板２と毛髪挟持部１１の底部との間に介装されており、自然状態において前記温熱板２を上方へ付勢している。
【００３９】
前記コイルバネ４は、図３に示されるように、前記脚片２４から内側に向かって突設されたヒータ保持部２２と前記毛髪挟持部１１の底部に固定された台座４０との間にそれぞれ介装されている。
また、前記温熱板２の移動可能な範囲は前記保持溝１５の溝幅によって規定されており、この例のものでは０．５ｍｍ〜１ｍｍ程度に設定されている。
【００４０】
＊ヘアアイロン使用時の温熱板の動作について
次に、上記ヘアアイロンを実際に使用するときの温熱板２の動作について図４及び図５を用いて説明する。
【００４１】
この例のヘアアイロンの握持部１２を握持して本体ケース１を相互に回動させて、図５に示されるように、前記温熱板２相互間に毛髪８を挟持させると、挟持された毛髪８によって前記温熱板２が押圧され、この押圧によって前記温熱板２の回動軸１３側に設けられたコイルバネ４が収縮される。これにより、図４及び図５に示されるように、前記温熱板２全体が前記本体ケース１の内側へと沈み込むと共に、毛髪８をしっかり挟持できるように該温熱板２の傾斜角度が自動調整される。このとき、パッキン部材３と受け溝１４との間の摺動抵抗によって前記温熱板２の沈み込み動作が制動されるため、該温熱板２はゆっくりと前記本体ケース１内に沈み込む。また、前記温熱板２が最下位置まで沈み込んだときは、前記受け溝１４の底部に当接するパッキン部材３がクッション材として機能する。
【００４２】
毛髪８を癖付けした後、前記本体ケース１の握持を解除すると、前記本体ケース１相互は回動軸１３に設けられた付勢手段によって先端部が開いた元の状態に戻り、前記温熱板２はコイルバネ４の弾性復帰力によって元の位置まで押上げられる。このときも、前記パッキン部材３と前記受け溝１４の側壁との間の摺動抵抗によって前記温熱板２の動作が制動されるため、該温熱板２は沈み込み状態からゆっくりと復帰される。
【００４３】
上記のような構成であるため、この例のヘアアイロンにおいては、温熱板２相互間に毛髪８を挟持させると、毛髪８の量や位置に関係なく前記温熱板２の傾斜角度が安定的に自動調整されてしっかりと毛髪８を挟持することができるため、容易且つムラなく毛髪の癖付けを行うことができる。
【００４４】
パッキン部材３によって前記温熱板２の沈み込み動作及び沈み込み状態からの復帰動作が制動されることで、本体ケース１を握持する手への応答が柔軟であるから感触がやわらかく使用感がよいと共に、前記本体ケース１の握持によって毛髪８を挟持する力を容易に加減することができる。また、前記パッキン部材３の介在によって前記温熱板２と本体ケース１との接触による接触音の発生が防止されるため耳障りな音が生じない。
【００４５】
この例のものでは、前記温熱板２の幅方向に沿って一対のコイルバネ４が設けられているから、該温熱板２の幅方向へのシーソー運動及び揺動が防止されるため、該温熱板２の傾斜角度が安定すると共に該温熱板２の沈み込み動作及び前記沈み込み状態からの復帰動作もよりいっそう安定する。
【００４６】
また、前記パッキン部材３によって毛髪８に付着した水分や整髪剤などが前記本体ケース１内へ浸入することが防止されるため、漏電や感電などの事故、ヘアアイロンの故障が防止される。
【００４７】
＊その他の実施の形態
図６に示されるヘアアイロンは、温熱板２の表面に起毛シート６が貼着されており、一対の本体ケース１の先端部に通電時に磁性を有する電磁石７をそれぞれ配置した構成となっている。また、ここでは図示されないが、前記温熱板２には静電気を蓄電・放電可能なコンデンサ回路が接続されている。上記以外の部分の構成及び基本的な使用方法については前述のヘアアイロンと同じである。
【００４８】
上記のような構成であるため、この例の温熱板２相互間に毛髪を挟持させると、前記起毛シート６の起毛相互間に毛髪が保持されるため、毛髪を挟持した状態でヘアアイロンをスライドや回転させるときなどに、前記温熱板２に対して毛髪が滑って前記温熱板２相互間から脱落してしまうことがなくしっかりと挟持できる。また、前記起毛による保持力の分だけ前記温熱板２によって毛髪を挟持する力が小さくてよいため、毛髪の癖付けが楽に行える。また、前述の例のように、金属製の温熱板２に直接毛髪が接触するものと比べて毛髪が傷みにくい。ここで、前記起毛シート７の材質は、耐熱性を有するものであれば、合成樹脂製シートやフェルト等の布地、不織布等からなるものであってもよい。
【００４９】
前記本体ケース１の先端部に電磁石７が対向配置されていることにより、前記毛髪をしっかりと挟持した状態で前記電磁石７のスイッチをＯＮにして通電すると、磁性を有した前記電磁石７が互いに引き合うため前記本体ケース１相互は挟持状態に維持される。そして、処理が終了した後は、前記スイッチをＯＦＦにすると前記電磁石７の磁性は失われるため、前記本体ケース１相互は回動軸１３の付勢手段によって離反される。これより、使用者自身が握持によって挟持状態を維持する必要がないから毛髪の癖付けが楽である。また、使用者自身による場合のように毛髪を挟持する力に強弱が生じないため、ムラなく毛髪を癖付けすることができる。
【００５０】
この例のものでは、前記温熱板２と毛髪との間に発生する静電気を蓄電・放電するコンデンサ回路が設けられているから、前記温熱板２と毛髪との間に生じる静電気を除去することができる。そのため、使用中に静電気の発生による不快な思いをすることがないと共に、使用によって帯電状態の毛髪の電荷が中和されるため毛髪が広がったりすることがなく仕上がりにまとまり感がある。
【００５１】
＊その他
本発明のアイロンは、上記した実施の形態に限られるものではない。
前述の例において、前記温熱板２は、一対の本体ケース１の各対向内面１０にそれぞれ設けられているが、一方の本体ケース１０のみに前記温熱板２を設け、他方の本体ケース１０には、例えば、前記対向内面１０に固定される押え板などを設けた構成としてもよい。また、前記一対の本体ケース１の形状も前述の例のように同形である必要はない。
【００５２】
前述の例において、前記温熱板２の施術板２０は平滑面となっているが毛髪をウェーブ状に癖付けできるように前記施術板２０の表面を波形状や凹凸形状に成形したものであってもよく、前記施術板２０の表面にスチームやマイナスイオンを噴出するための孔部を形成したものであってもよい。
【００５３】
また、前記温熱板２が長手方向に沿って温度勾配を形成するように温熱板２の構造又はヒータ５の温度調節機構を設定するものであってもよい。このような構成としたものでは、本体ケース１を握持するときに前記温熱板２による挟持力に応じて挟持された毛髪への温熱量を調節することができるため、挟持した毛髪を処理した場合に挟持位置による差異が生じることがないため、一部分が過熱されて毛髪を傷めてしまったり、再処理が必要な加熱不足が生じたりすることがなく手早く均一な仕上がりに毛髪を癖付けすることができる。
【００５４】
また、前記温熱板２を弾性変形可能な形状記憶材から形成するものであってもよい。このような構成としたものでは、前記温熱板２の施術板２０が挟持された毛髪に沿って弾性変形されるため、挟持位置によって毛髪の量に多少がある場合にも変形された施術板２０によってしっかりと挟持されるため、ムラなく毛髪の癖付けを行うことができる。
【００５５】
前述の例において、前記温熱板２の沈み込み動作を制動する緩衝部材は、前記温熱板２の全周縁にわたって取付けられたパッキン部材３であるが、前記緩衝部材は前記本体ケース１に取付けられるものであってもよく、また、前記温熱板２の周縁に沿って所定の間隔毎に取付けられるものであってもよい。
【００５６】
また、前記パッキン部材３は常に前記受け溝１４の側壁に摺接されているが、例えば、前記毛髪挟持部１１の受け溝１４の底部に取付けられて押圧によって沈み込んできたときに前記温熱板２に当接するクッション部材のようなものであっても良い。
【００５７】
上記の例は何れも毛髪用の癖付け用のヘアアイロンに本発明を実施したものであるが、本発明はヘアアイロンに限られるものではなく、衣類やその他の物品用のアイロンとして実施されるものであってもよい。
【図面の簡単な説明】
【図１】本発明実施の形態におけるヘアアイロンの全体図である。
【図２】図１の本体ケース先端部の断面図である。
【図３】図２のＡ−Ａ断面図である。
【図４】温熱板の沈み込み動作を示す説明図である。
【図５】ヘアアイロンの使用状態を示す断面図である。
【図６】その他の本発明実施の形態のヘアアイロンを示す部分断面図である。
【図７】従来例のヘアアイロンを示す部分断面図である。
【符号の説明】
（１）・・・本体ケース
（１０）・・・対向内面
（１１）・・・毛髪挟持部
（１２）・・・握持部
（２）・・・温熱板
（２０）・・・施術板
（３）・・・パッキン部材
（４）・・・コイルバネ
（５）・・・ヒータ
（６）・・・起毛シート
（７）・・・電磁石
（８）・・・毛髪
【図１】
0003609064.tif 000002
【図２】
0003609064.tif 000003
【図３】
0003609064.tif 000004
【図４】
0003609064.tif 000005
【図５】
0003609064.tif 000006
【図６】
0003609064.tif 000007
【図７】
0003609064.tif 000008